(57)【特許請求の範囲】
【請求項１】
空気中に放散される薬剤を保持した薬剤保持体と、
上記薬剤保持体に送風する送風ファンと、
上記送風ファンを駆動するモーターと、
上記薬剤保持体、上記送風ファン及び上記モーターを収容するとともに、空気を吸入する吸入口及び吸入した空気を排出する排出口が形成された装置本体とを備え、
上記装置本体が天井に取り付けられ、上記モーターにより駆動された上記送風ファンによって上記吸入口から吸入された空気を上記薬剤保持体に送風して上記排出口から排出するように構成されたファン式薬剤放散装置において、
上記ファン式薬剤放散装置は、上記装置本体に固定される装置側取付部材と、天井に固定される天井側取付部材とを備え、
上記天井側取付部材は、天井に固定される固定部と、該固定部よりも下に位置し、下方へ窪む凹状に形成された天井側係合部とを有し、該天井側係合部における上記固定部側の端部は上記固定部側へ行くほど上に位置するように傾斜しており、
上記装置側取付部材は、上記天井側係合部に対して上方から係合する装置側係合部を有し、
上記天井側取付部材及び上記装置側取付部材の少なくとも一方には、上記装置側係合部が上記天井側係合部に係合した状態で、上記装置側取付部材と上記天井側取付部材との水平方向への相対移動を阻止し、かつ、上下方向への相対移動を許容する水平方向移動阻止部が設けられていることを特徴とするファン式薬剤放散装置。
【請求項２】
空気中に放散される薬剤を保持した薬剤保持体と、
上記薬剤保持体に送風する送風ファンと、
上記送風ファンを駆動するモーターと、
上記薬剤保持体、上記送風ファン及び上記モーターを収容するとともに、空気を吸入する吸入口及び吸入した空気を排出する排出口が形成された装置本体とを備え、
上記装置本体が天井に取り付けられ、上記モーターにより駆動された上記送風ファンによって上記吸入口から吸入された空気を上記薬剤保持体に送風して上記排出口から排出するように構成されたファン式薬剤放散装置において、
上記ファン式薬剤放散装置は、上記装置本体に固定される装置側取付部材と、天井に固定される天井側取付部材とを備え、
上記天井側取付部材は、天井に固定される固定部と、該固定部よりも下に位置する下方へ窪む凹状に形成された天井側係合部とを有し、
上記装置側取付部材は、上記天井側係合部に対して上方から係合する装置側係合部を有し、
上記天井側取付部材及び上記装置側取付部材の少なくとも一方には、上記装置側係合部が上記天井側係合部に係合した状態で、上記装置側取付部材と上記天井側取付部材との水平方向への相対移動を阻止し、かつ、上下方向への相対移動を許容する水平方向移動阻止部が設けられ、
上記装置側係合部及び上記天井側係合部は係合状態で上下方向に重なるように配置され、
上記水平方向移動阻止部は、上記装置側係合部から下方へ突出する突出部で構成されていることを特徴とするファン式薬剤放散装置。
【発明の詳細な説明】
【技術分野】
【０００１】
本発明は、例えば害虫忌避剤や殺虫剤等を空気中に放散するファン式薬剤放散装置に関し、特に、天井等に取り付ける構造の技術分野に属する。
【背景技術】
【０００２】
従来より、害虫防除剤等の薬剤を保持した薬剤保持体と、送風ファンと、該送風ファンを駆動するモーターと、モーターに電力を供給する電池とを備えたファン式薬剤放散装置が知られている（例えば、特許文献１参照）。特許文献１の薬剤保持体は、通気孔を有する容器内に害虫防除剤を含有する粒剤を充填したものであり、装置本体に取り付けられている。そして、モーターにより送風ファンが駆動されると、空気が薬剤保持体の通気孔から容器内に流入し、この空気に、粒剤に含有されている害虫防除剤が混合した後、装置本体の放出口から放出される。
【０００３】
また、特許文献１では、ファン式薬剤放散装置を天井に取り付けて使用することが可能になっている。
【先行技術文献】
【特許文献】
【０００４】
【特許文献１】特許第４０７８６３６号公報
【発明の概要】
【発明が解決しようとする課題】
【０００５】
ところで、ファン式薬剤放散装置を天井に取り付けて使用する場合を想定すると、装置本体に形成されている放出口や薬剤保持体の通気孔が天井に接近することになる。こうなると、放出口から放出される空気の流れや、通気孔に吸入される空気の流れが天井によって阻害されることが考えられる。
【０００６】
また、ファン式薬剤放散装置を天井に取り付ける場合、例えば薬剤保持体や電池を交換する等といった定期的なメンテナンス作業が必要になるので、取り付け及び取り外し時の作業性を良好にしたいという要求がある。一方で、地震時等にファン式薬剤放散装置が落下しないように確実に取り付けておくことも必要である。
【０００７】
本発明は、かかる点に鑑みてなされたものであり、その目的とするところは、ファン式薬剤放散装置に吸入される空気やファン式薬剤放散装置から排出される空気の流れが天井によって阻害されにくくするとともに、ファン式薬剤放散装置が地震時等に天井から不意に落下しないように確実に取り付けることができるようにし、しかも、取り付け及び取り外し時の作業性を良好にすることにある。
【課題を解決するための手段】
【０００８】
上記目的を達成するために、第１の発明は、
空気中に放散される薬剤を保持した薬剤保持体と、
上記薬剤保持体に送風する送風ファンと、
上記送風ファンを駆動するモーターと、
上記薬剤保持体、上記送風ファン及び上記モーターを収容するとともに、空気を吸入する吸入口及び吸入した空気を排出する排出口が形成された装置本体とを備え、
上記装置本体が天井に取り付けられ、上記モーターにより駆動された上記送風ファンによって上記吸入口から吸入された空気を上記薬剤保持体に送風して上記排出口から排出するように構成されたファン式薬剤放散装置において、
上記ファン式薬剤放散装置は、上記装置本体に固定される装置側取付部材と、天井に固定される天井側取付部材とを備え、
上記天井側取付部材は、天井に固定される固定部と、該固定部よりも下に位置し、下方へ窪む凹状に形成された天井側係合部とを有し、該天井側係合部における上記固定部側の端部は上記固定部側へ行くほど上に位置するように傾斜しており、
上記装置側取付部材は、上記天井側係合部に対して上方から係合する装置側係合部を有し、
上記天井側取付部材及び上記装置側取付部材の少なくとも一方には、上記装置側係合部が上記天井側係合部に係合した状態で、上記装置側取付部材と上記天井側取付部材との水平方向への相対移動を阻止し、かつ、上下方向への相対移動を許容する水平方向移動阻止部が設けられていることを特徴とする。
【０００９】
この構成によれば、ファン式薬剤放散装置を天井に取り付ける際には、装置本体に固定される装置側取付部材と、天井に固定される天井側取付部材とによって取り付けることが可能になる。このとき、装置側係合部が天井側係合部に上方から係合する。天井側係合部は天井への固定部よりも下に位置しているので、装置側係合部が天井側係合部に上方から係合した状態で、装置本体の取付位置が下がり、天井からの離間距離が長く確保される。これにより、装置本体の吸入口及び排出口が天井から下方へ離れるので、ファン式薬剤放散装置に吸入される空気やファン式薬剤放散装置から排出される空気の流れが天井によって阻害されにくくなり、薬剤が効率よく放散される。
【００１０】
また、天井へ取り付けた状態では、装置側取付部材と天井側取付部材との水平方向への相対移動が水平方向移動阻止部によって阻止されるので、例えば地震等の際に装置側係合部と天井側係合部との係合が解除されることはなく、ファン式薬剤放散装置が天井から不意に落下することはない。
【００１１】
一方、水平方向移動阻止部は、装置側取付部材と天井側取付部材との上下方向への相対移動は許容するので、装置本体を上方へ移動させることにより、天井側係合部と装置側係合部との係合状態を解除することが可能になる。
【００１２】
また、装置側係合部を天井側係合部に対して上方から係合させると、天井側係合部が下方へ窪む凹状であることから、装置側係合部が天井側係合部に嵌まるようになる。
【００１３】
第２の発明は、
空気中に放散される薬剤を保持した薬剤保持体と、
上記薬剤保持体に送風する送風ファンと、
上記送風ファンを駆動するモーターと、
上記薬剤保持体、上記送風ファン及び上記モーターを収容するとともに、空気を吸入する吸入口及び吸入した空気を排出する排出口が形成された装置本体とを備え、
上記装置本体が天井に取り付けられ、上記モーターにより駆動された上記送風ファンによって上記吸入口から吸入された空気を上記薬剤保持体に送風して上記排出口から排出するように構成されたファン式薬剤放散装置において、
上記ファン式薬剤放散装置は、上記装置本体に固定される装置側取付部材と、天井に固定される天井側取付部材とを備え、
上記天井側取付部材は、天井に固定される固定部と、該固定部よりも下に位置する下方へ窪む凹状に形成された天井側係合部とを有し、
上記装置側取付部材は、上記天井側係合部に対して上方から係合する装置側係合部を有し、
上記天井側取付部材及び上記装置側取付部材の少なくとも一方には、上記装置側係合部が上記天井側係合部に係合した状態で、上記装置側取付部材と上記天井側取付部材との水平方向への相対移動を阻止し、かつ、上下方向への相対移動を許容する水平方向移動阻止部が設けられ、
上記装置側係合部及び上記天井側係合部は係合状態で上下方向に重なるように配置され、
上記水平方向移動阻止部は、上記装置側係合部から下方へ突出する突出部で構成されていることを特徴とする。
【００１４】
この構成によれば、装置側係合部及び天井側係合部が上下方向に重なることで係合状態になる。このとき、突出部が装置側係合部から下方へ突出しているので、天井側係合部が装置側係合部に対して水平方向に移動しようとした際、突出部に当たることになり、装置側取付部材と天井側取付部材との水平方向への相対移動が確実に阻止される。
【発明の効果】
【００１５】
第１の発明によれば、ファン式薬剤放散装置を天井に取り付ける際に装置側係合部が天井側係合部に上方から係合したとき、天井側係合部が天井への固定部よりも下に位置しているので、装置本体の取付位置を下げることができ、ファン式薬剤放散装置に吸入される空気やファン式薬剤放散装置から排出される空気の流れが天井によって阻害されにくくなる。また、装置側係合部を天井側係合部に上方から係合させることで装置側取付部材と天井側取付部材との水平方向への相対移動が水平方向移動阻止部によって阻止される。これにより、例えば地震等にファン式薬剤放散装置が天井から不意に落下することはない。さらに、装置本体を上方へ移動させることにより、天井側係合部と装置側係合部との係合状態を容易に解除することができ、取り付け及び取り外し時の作業性を良好にすることができる。
【００１６】
また、天井側係合部が下方へ窪む凹状に形成されているので、装置側係合部が天井側係合部に嵌まるようになり、装置側係合部と天井側係合部との係合が解除され難くなる。
【００１７】
第２の発明によれば、係合状態にある装置側係合部及び天井側係合部を上下方向に重なるように配置し、装置側係合部から下方へ突出する突出部を設けたので、装置側取付部材と天井側取付部材との水平方向への相対移動を確実に阻止できる。
【図面の簡単な説明】
【００１８】
【図１】実施形態１に係るファン式薬剤放散装置を上方から見た斜視図である。
【図２】ファン式薬剤放散装置を下方から見た斜視図である。
【図３】図５のIII−III線断面図である。
【図４】図５のIV−IV線断面図である。
【図５】蓋部材を取り付けた状態の図１相当図である。
【図６】天井に取り付けられた状態を示す斜視図であり、天井を省略して示した図である。
【図７】天井に取り付けられた状態を示す平面図であり、天井を省略して示した図である。
【図８】ネジの頭部を挿入孔の直下方に配置した状態の側面図である。
【図９】ネジの頭部を挿入孔の左側に挿入した状態の側面図である。
【図１０】ファン式薬剤放散装置を天井に取り付けた状態の側面図である。
【図１１】実施形態２に係る図６相当図である。
【図１２】左側の装置側取付金具を天井側取付金具よりも左側に配置した状態の側面図である。
【図１３】右側の装置側取付金具を天井側取付金具よりも右側に配置した状態の側面図である。
【図１４】実施形態２に係る図１０相当図である。
【図１５】実施形態３に係る図６相当図である。
【図１６】実施形態３に係る図１０相当図である。
【図１７】装置側取付金具を天井側取付金具に係合させる前の状態を示す端面図である。
【図１８】天井側取付金具を装置側取付金具に挿入する途中の状態を示す端面図である。
【図１９】天井側取付金具を装置側取付金具に完全に挿入した状態を示す端面図である。
【図２０】ファン式薬剤放散装置を天井に取り付けた状態の端面図である。
【発明を実施するための形態】
【００１９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２０】
（実施形態１）
図１は、本発明の実施形態１に係るファン式薬剤放散装置１を示すものである。ファン式薬剤放散装置１は、例えば住居や事務所、工場、各種店舗等の天井１００（図８等に示す）に取り付けられて使用される。図３及び図４に示すように、ファン式薬剤放散装置１は、装置本体２と、下側薬剤保持体５、５と、上側薬剤保持体６、６と、電池７と、モーター８と、送風ファン９とを備えている。装置本体２は、上側ケーシング部材１０と、下側ケーシング部材２０とを備えている。下側薬剤保持体５、５、上側薬剤保持体６、６、電池７、モーター８及び送風ファン９は、装置本体２に収容されている。上側ケーシング部材１０及び下側ケーシング部材２０は、図示しないネジ等の締結部材や爪嵌合構造によって一体化されており、下側薬剤保持体５、５、上側薬剤保持体６、６、電池７等を交換する際には、上側ケーシング部材１０及び下側ケーシング部材２０を分離することができるようになっている。
【００２１】
上側ケーシング部材１０は、装置本体２の略上半部を構成する樹脂製部材であり、図１等で定義する左右方向に長い形状である。尚、各図における「上」とはファン式薬剤放散装置１を天井１００に取り付けた状態で上になる側であり、「下」とはファン式薬剤放散装置１を天井１００に取り付けた状態で下になる側である。
【００２２】
上側ケーシング部材１０は、上壁部１１と、上壁部１１の長手方向に延びる両縁部からそれぞれ下方へ向かって湾曲しながら延びる側壁部１２、１２と、上壁部１１の短手方向に延びる両縁部からそれぞれ下方へ向かって略真っ直ぐに延びる端壁部１３、１３とを有しており、全体として下端面全体が開放する半割形状となっている。図１及び図２等に示すように、端壁部１３には、開口部１３ａが形成されている。
【００２３】
図１や図３等に示すように、上側ケーシング部材１０の側壁部１２、１２の上端部には、それぞれ、装置本体２の内部に吸入した空気を排出するための排出口１４が形成されている。排出口１４は、側壁部１２の左右方向に長いスリット状に開口しており、この実施形態では、各側壁部１２に複数の排出口１４が上下に並ぶように、かつ、左右方向にも並ぶように形成されている。排出口１４が側壁部１２、１２の上端部に形成されていることにより、ファン式薬剤放散装置１を天井１００に取り付けた状態で排出口１４が天井１００に接近することになる。
【００２４】
図４に示すように、上側ケーシング部材１０の内部には、４組のモーター８及び送風ファン９が左右方向に並ぶように設けられている。すなわち、上側ケーシング部材１０の内部には、送風ファン９を駆動するためのモーター８が固定されるモーター固定板１９が配設されている。モーター固定板１９は、上側ケーシング部材１０の一方の側壁部１２から他方の側壁部１２に亘るように、かつ、一方の端壁部１３から他方の端壁部１３に亘るように略水平方向に延びている。モーター固定板１９の上面に、４つのモーター８が左右方向に略等しい間隔をあけて配置され、固定されている。モーター８の姿勢は、その出力軸が上下方向に延びる姿勢とされており、出力軸はモーター８の本体部分から上方へ突出している。４つのモーター８は、上側ケーシング部材１０の内部の左右方向中央部近傍において、出力軸が左右方向に延びる仮想直線上に位置するように配置される。モーター８は、排出口１４よりも下で、かつ、側壁部１２、１２の下端よりも上に位置している。
【００２５】
モーター８の出力軸に送風ファン９の回転中心部が固定されて出力軸と送風ファン９とが一体に回転するようになっている。送風ファン９は、下側薬剤保持体５、５及び上側薬剤保持体６、６に送風するためのものであり、軸流ファンである。送風ファン９は、排出口１４よりも下に位置している。送風ファン９の内方にモーター８が位置するようになっている。
【００２６】
図３に示すように、モーター固定板１９における送風ファン９の直下方には、空気流通孔１９ａが該モーター固定板１９を貫通するように形成されている。モーター固定板１９よりも下側の空間と上側の空間とが空気流通孔１９ａを介して連通している。
【００２７】
モーター固定板１９の上面における短手方向両側には、電池収容部１８がそれぞれ設けられている。電池収容部１８は、モーター固定板１９の上面から上方へ膨出するように形成されている。電池収容部１８の内部に電池７が収容されている。電池収容部１８は上側ケーシング部材１０の左右方向両端部近傍に亘って設けられており、複数の電池７が電池収容部１８に収容されて、各モーター８に電力を供給するように構成されている。
【００２８】
尚、図示しないが、装置本体２には電源スイッチが設けられており、この電源スイッチと、モーター８と、電池７とによって電気回路が構成されている。使用者が電源スイッチをＯＮにすると電池７から電力がモーター８に供給される一方、使用者が電源スイッチをＯＦＦにすると電池７からの電力供給が停止する。
【００２９】
上述したように、重量物である電池７及びモーター８が上側ケーシング部材１０の内部に収容されているので、装置本体２の重心は上下方向中央部よりも上に位置することになる。装置本体２の左右方向の重心位置は、装置本体２の左右方向の略中心部に位置している。
【００３０】
図４にも示すように、上側ケーシング部材１０の上壁部１１には、送風ファン９による送風空気を案内するための案内部１７が下方へ窪むように形成されている。案内部１７は、送風ファン９の配設位置に対応する部位にそれぞれ形成されており、この実施形態では４つの案内部１７が形成されている。案内部１７の中心部が最も下に位置する下端部となっており、案内部１７の下端部は、送風ファン９の上端部と僅かな隙間をあけて対向するように配置されている。案内部１７の下端部以外の部分は、該下端部の中心部から離れるに従って上に位置するように湾曲形成されている。送風ファン９によって送風される空気は、案内部１７の湾曲形状に沿うように流れて排出口１４に達するようになっている。
【００３１】
案内部１７の形成により、上側ケーシング部材１０の上壁部１１には４つの凹部１５が左右方向に並ぶように形成されることになる。凹部１５の底面は、略水平に延びる円形状をなしている。また、凹部１５の内周面は、案内部１７の形状に対応して底面の中心部から離れるに従って上に位置するように湾曲形成されている。
【００３２】
図１に示すように、上側ケーシング部材１０の左側に設けられる凹部１５の内方には、底面から上方へ突出する１つ筒部１６ａと、複数の補強板部１６ｂとが一体成形されている。筒部１６ａの突出方向は略鉛直方向であり、筒部１６ａの上端部は、上側ケーシング部材１０の上壁部１１よりも下に位置している。筒部１６ａの内側には、上方からネジ１０３が螺合することによって固定されるようになっている。図６及び図７に示すように、ネジ１０３は、上側に頭部が位置するように装置本体２に取り付けられる。図８に示すように、ネジ１０３の頭部が上側ケーシング部材１０の上壁部１１の上面から上方へ突出するように、該ネジ１０３が筒部１６ａに螺合している。ネジ１０３は、例えばタッピングビス等で構成することができる。
【００３３】
補強板部１６ｂは、凹部１５の底面から上方へ延びるとともに、筒部１６ａの外周面から放射状に延び、凹部１５の内周面に連なっている。補強板部１６ｂによって筒部１６ａと凹部１５の内周面とが連結されて筒部１６ａの倒れが抑制される。
【００３４】
同様に、上側ケーシング部材１０の右側に設けられる凹部１５の内方にも筒部１６ａと補強板部１６ｂとが一体成形されており、筒部１６ａにはネジ１０３が螺合している。２本のネジ１０３は、本発明の装置側取付部材であり、ファン式薬剤放散装置１を構成する部材である。ネジ１０３、１０３は、装置本体２の左右両側に設けられることになる。尚、上側ケーシング部材１０の左右方向中央側の凹部１５の内方に筒部１６ａと補強板部１６ｂを設けて筒部１６ａにネジ１０３を螺合させてもよい。
【００３５】
図１に示すように、上側ケーシング部材１０の上壁部１１には、４つの凹部１５を囲むように段部１１ａが形成されている。段部１１ａには、図５に示すような蓋部材３が嵌まるようになっている。蓋部材３は、ネジ１０３を筒部１６ａに螺合させていない状態で段部１１ａに嵌めることができるようになっており、ファン式薬剤放散装置１を天井１００に取り付ける際には段部１１ａから取り外す。
【００３６】
下側ケーシング部材２０は、装置本体２の略下半部を構成する樹脂製部材であり、上側ケーシング部材１０と同様に左右方向に長い形状である。下側ケーシング部材２０は、底壁部２１と、底壁部２１の長手方向に延びる両縁部からそれぞれ上方へ向かって湾曲しながら延びる側壁部２２、２２と、底壁部２１の短手方向に延びる両縁部からそれぞれ上方へ向かって略真っ直ぐに延びる端壁部２３、２３とを有しており、全体として上端面全体が開放する半割形状となっている。
【００３７】
上側ケーシング部材１０と下側ケーシング部材２０とを組み合わせると、上側ケーシング部材１０の下方への開放部分と、下側ケーシング部材２０の上方への開放部分とが一致する。このとき、上側ケーシング部材１０の側壁部１２、１２の下端部と、下側ケーシング部材２０の側壁部２２、２２の上端部とが当接し、また、上側ケーシング部材１０の端壁部１３、１３の下端部と、下側ケーシング部材２０の端壁部２３、２３の上端部とが当接して左右方向に長い箱状をなす。
【００３８】
下側ケーシング部材２０の側壁部２２、２２の上部には、それぞれ、空気を吸入するための吸入口２４が形成されている。吸入口２４は、左右方向に長いスリット状に形成されており、装置本体２の内部におけるモーター固定板１９よりも下側の空間と連通している。尚、吸入口２４の形成位置は側壁部２２、２２の下側であってもよい。また、吸入口２４は複数形成してもよい。
【００３９】
図３及び図４に示すように、下側ケーシング部材２０の内部には、下側薬剤保持体５、５及び上側薬剤保持体６、６が収容されている。下側薬剤保持体５、５は、下側ケーシング部材２０の下側において左右方向に並ぶように配置され、下側保持部材２６によって下側ケーシング部材２０に対して着脱可能に保持されている。下側薬剤保持体５、５は同じものであり、各下側薬剤保持体５は、プリーツ成形された不織布等からなる薬剤含浸部材５ａを備えている。薬剤含浸部材５ａには、空気中に放散される薬剤として、例えば害虫忌避剤、殺虫剤、芳香剤等のうち、少なくとも１種が含浸されている。この薬剤は、常温で揮発性を有する薬剤である。
【００４０】
上側薬剤保持体６、６は、下側ケーシング部材２０の上側において左右方向に並ぶように配置され、上側保持部材２７によって下側ケーシング部材２０に対して着脱可能に保持されている。上側薬剤保持体６、６は、下側薬剤保持体５、５の上に重なっている。上側薬剤保持体６、６は下側薬剤保持体５、５と同様に構成されており、プリーツ成形された不織布等からなる薬剤含浸部材６ａを備えている。下側薬剤保持体５の薬剤含浸部材５ａと、上側薬剤保持体６の薬剤含浸部材６ａとが上下方向に重なることになり、吸入口２４から吸入された空気は、下側薬剤保持体５の薬剤含浸部材５ａを通過した後、上側薬剤保持体６の薬剤含浸部材６ａを通過するようになっている。
【００４１】
つまり、ファン式薬剤放散装置１は、モーター８により駆動された送風ファン９によって吸入口２４から吸入された空気を下側薬剤保持体５、５及び上側薬剤保持体６、６に送風し、薬剤含浸部材５ａ、６ａを通過することで薬剤を含んだ空気を排出口１４から排出するように構成されている。
【００４２】
装置本体２は、図６や図７に示す天井側取付金具（天井側取付部材）１０２を２つ備えており、天井側取付金具１０２とネジ１０３とによって天井１００に対して着脱可能に取り付けられる。２つの天井側取付金具１０２は共に同じものである。天井側取付金具１０２は、装置本体２の左右方向に長く延びる形状であり、長手方向の両側（左右方向の両側）には、天井１００に固定される固定板部（固定部）１０２ａがそれぞれ設けられている。固定板部１０２ａは、天井１００に沿って延びており、固定ビス１０１によって天井１００に固定される。天井側取付金具１０２の左側の固定板部１０２ａには、左側傾斜板部１０２ｂが連なっている。左側傾斜板部１０２ｂは、左側の固定板部１０２ａの右端から右側へ向かって下降傾斜しながら延びている。左側傾斜板部１０２ｂの右端には、右側へ向かって延びる水平板部１０２ｃが連なっている。水平板部１０２ｃの右端には、下方へ窪む凹状に形成された窪み部１０２ｄが連なっている。窪み部１０２ｄの右端には、右側傾斜板部１０２ｅが連なっている。右側傾斜板部１０２ｅは、右側へ行くほど上に位置するように傾斜している。右側傾斜板部１０２ｅの右端は、天井側取付金具１０２の右側の固定板部１０２ａに連なっている。
【００４３】
図７に示すように、天井側取付金具１０２には、ネジ１０３の頭部が挿入される挿入孔１０２ｆが形成されている。挿入孔１０２ｆは、装置本体２の左右方向（水平方向）に長い形状とされ、水平板部１０２ｃから窪み部１０２ｄに亘って連続している。挿入孔１０２ｆの長手方向一側（装置本体２の左側）はネジ１０３の頭部の外径よりも広い開口幅を有する一方、該挿入孔１０２ｆの長手方向他側（装置本体２の右側）はネジ１０３の頭部の外径よりも狭い開口幅を有している。そして、挿入孔１０２ｆの左側の開口幅の広い部分は水平板部１０２ｃに形成され、挿入孔１０２ｆの右側の開口幅の狭い部分は窪み部１０２ｄに形成されているので、挿入孔１０２ｆの左側は右側に比べて上方に位置付けられている。
【００４４】
次に、上記のように構成されたファン式薬剤放散装置１を天井１００に取り付ける要領について説明する。装置本体２の筒部１６ａ、１６ａにはそれぞれネジ１０３を螺合させることによって固定しておく。一方、天井１００には、図８に示すように天井側取付金具１０２、１０２を固定ビス１０１によって固定しておく。このとき、各天井側取付金具１０２の固定板部１０２ａ、１０２ａにそれぞれ固定ビス１０１を貫通させて天井１００に螺合させる。
【００４５】
その後、図８に示すように、装置本体２のネジ１０３の頭部を、各天井側取付金具１０２の挿入孔１０２ｆの左側の直下方に配置する。そして、図９に示すように、装置本体２を上方へ移動させてネジ１０３の頭部を挿入孔１０２ｆの左側に下方から挿入する。このとき、挿入孔１０２ｆの左側の開口幅は、ネジ１０３の頭部の外径よりも広いので、ネジ１０３の頭部を挿入孔１０２ｆの左側に容易に挿入することができる。
【００４６】
しかる後、図１０に示すように、装置本体２を右側へ移動させてネジ１０３の頭部が挿入孔１０２ｆの右側の開口幅が狭い部分に位置するようにする。挿入孔１０２ｆの右側の開口幅はネジ１０３の頭部の外径よりも狭いので、挿入孔１０２ｆにおける右側の縁部に対してネジ１０３の頭部が上方から係合する。この実施形態では、ネジ１０３の頭部が装置側係合部であり、挿入孔１０２ｆにおける右側の縁部が天井側係合部である。
【００４７】
ネジ１０３の頭部が挿入孔１０２ｆにおける右側の縁部に係合した状態では、挿入孔１０２ｆにおける右側が窪み部１０２ｄに形成されているので、装置本体２の自重によってネジ１０３の頭部が窪み部１０２ｄの内方に位置することになる。これにより、ネジ１０３と天井側取付金具１０２との水平方向への相対移動が阻止される。一方、ネジ１０３の頭部と天井１００との間には隙間があるので、装置本体２を上方へ押すことによってネジ１０３と天井側取付金具１０２との上下方向への相対移動は許容される。つまり、天井側取付金具１０２に窪み部０１２ｄを設けたことで、ネジ１０３と天井側取付金具１０２との水平方向への相対移動を阻止しながら、上下方向への相対移動は許容することができる。本発明の水平方向移動阻止部は窪み部０１２ｄで構成されている。
【００４８】
ネジ１０３と天井側取付金具１０２との水平方向への相対移動が装置本体２の自重によって阻止されるので、例えば地震等の際にネジ１０３と天井側取付金具１０２との係合が解除されることはなく、ファン式薬剤放散装置１が天井１００から不意に落下することはない。
【００４９】
また、天井側取付金具１０２に窪み部０１２ｄは固定板部１０２ａ、１０２ａよりも下に位置しているので、ネジ１０３の頭部が挿入孔１０２ｆにおける右側の縁部に上方から係合した状態で、装置本体１の取付位置が下がり、天井１００からの離間距離が長く確保される。これにより、装置本体１の吸入口２４及び排出口１４が天井１００から下方へ離れるので、ファン式薬剤放散装置１に吸入される空気やファン式薬剤放散装置１から排出される空気の流れが天井１００によって阻害されにくくなり、薬剤が効率よく放散される。
【００５０】
一方、天井側取付金具１０２の窪み部０１２ｄは、下方に窪んでいるだけなので、ネジ１０３を天井側取付金具１０２に対して上方へ移動させることができる。これにより、装置本体２を上方へ移動させてネジ１０３の頭部を挿入孔１０２ｆの左側に持ってくることができ、ネジ１０３の頭部を挿入孔１０２ｆの左側から下方へ抜いてネジ１０３と天井側取付金具１０２との係合状態を容易に解除することができる。したがって、ファン式薬剤放散装置１の取り付け及び取り外し時の作業性を良好にすることができる。
【００５１】
また、送風ファン９による送風空気を案内するための案内部１７を装置本体２の上壁部１１に下方へ窪むように形成し、案内部１７の内方にネジ１０３を取り付けるようにしたので、案内部１７の内方を有効に活用することができる。
【００５２】
（実施形態２）
図１１〜図１４は、本発明の実施形態２に係るものである。この実施形態２では、天井１００への取付構造が実施形態１とは異なるだけであり、装置本体２は実施形態１と同じである。以下、実施形態１と同じ部分には同じ符号を付して説明を省略し、異なる部分について詳細に説明する。
【００５３】
すなわち、装置本体２の上壁部１１の左右方向両側には、実施形態１のネジ１０３の代わりに、装置側取付金具（装置側取付部材）１０４がそれぞれ締結固定されている。装置側取付金具１０４は、装置本体２の短手方向に延びており、長手方向両側に装置本体２に固定される固定板部１０４ａ、１０４ａが設けられている。各固定板部１０４ａには、傾斜板部１０４ｂが連なっている。傾斜板部１０４ｂ、１０４ｂは、装置側取付金具１０４の長手方向中央部へ近づくほど上に位置するように傾斜している。傾斜板部１０４ｂ、１０４ｂの間には水平板部（装置側係合部）１０４ｃが設けられている。
【００５４】
天井側取付金具１０５は、装置本体２の左右方向に長い板状に形成されている。天井側取付金具１０５の左右方向の寸法は、装置側取付金具１０４、１０４の左右方向の離間寸法よりも十分に長く設定されている。天井側取付金具１０５の長手方向中間部は、固定ビス１０１によって天井１００に固定される固定板部１０５ａである。天井側取付金具１０５の右側には、下方へ窪む凹状に形成された右側窪み部（天井側係合部）１０５ｄが設けられている。右側窪み部１０５ｄの右端部には、上方へ屈曲した右側屈曲部１０５ｂが設けられている。
【００５５】
また、天井側取付金具１０５の左側には、下方へ窪む凹状に形成された左側窪み部（天井側係合部）１０５ｅが設けられている。左側窪み部１０５ｅの左右方向の寸法は、右側窪み部１０５ｄの左右方向の寸法よりも長く設定されている。左側窪み部１０５ｅの左端部には、上方へ屈曲した左側屈曲部１０５ｃが設けられている。
【００５６】
次に、上記のように構成されたファン式薬剤放散装置１を天井１００に取り付ける要領について説明する。装置本体２の上壁部１１にはそれぞれ装置側取付金具１０４、１０４を締結固定しておく。一方、天井１００には、図１２に示すように天井側取付金具１０５を固定ビス１０１によって固定しておく。このとき、各天井側取付金具１０５の固定板部１０５ａに固定ビス１０１を貫通させて天井１００に螺合させる。
【００５７】
その後、装置本体２を天井側取付金具１０５の下方に配置した後、図１３に示すように、装置本体２の左側の装置側取付金具１０４と上壁部１１との間に天井側取付金具１０５の左側窪み部１０５ｅを差し込む。このとき、左側窪み部１０５ｅの左右方向の寸法の方が右側窪み部１０５ｄの左右方向の寸法よりも長く設定されているので、深く差し込むことができ、右側窪み部１０５ｄを、装置本体２の右側の装置側取付金具１０４よりも右側に配置できる。
【００５８】
しかる後、図１４に示すように、装置本体２を左側へ移動させて、装置本体２の右側の装置側取付金具１０４と上壁部１１との間に天井側取付金具１０５の右側窪み部１０５ｄを差し込む。これにより、右側の装置側取付金具１０４の水平板部１０４ｃが右側窪み部１０５ｄに対して上方から係合し、また、左側の装置側取付金具１０４の水平板部１０４ｃが左側窪み部１０５ｅに対して上方から係合する。この係合した状態で、右側の装置側取付金具１０４の水平板部１０４ｃが右側窪み部１０５ｄに嵌まり、また、左側の装置側取付金具１０４の水平板部１０４ｃが左側窪み部１０５ｅに嵌まる。このとき、右側屈曲部１０５ｂが右側の装置側取付金具１０４の右側に位置し、左側屈曲部１０５ｃが左側の装置側取付金具１０４の左側に位置しているので、装置側取付金具１０４と天井側取付金具１０５との水平方向の相対移動が右側屈曲部１０５ｂ及び左側屈曲部１０５ｃによって阻止される。一方、右側屈曲部１０５ｂ及び左側屈曲部１０５ｃは装置側取付金具１０４の上方には位置していないので、装置側取付金具１０４と天井側取付金具１０５との上下方向への相対移動は許容する。つまり、右側屈曲部１０５ｂ及び左側屈曲部１０５ｃは、本発明の水平方向移動阻止部に相当する。
【００５９】
実施形態２によれば、実施形態１と同様に、ファン式薬剤放散装置１に吸入される空気やファン式薬剤放散装置１から排出される空気の流れが天井１００によって阻害されにくくなる。また、ファン式薬剤放散装置１が地震時等に天井１００から不意に落下しないように確実に取り付けることができ、しかも、取り付け及び取り外し時の作業性を良好にすることができる。
【００６０】
（実施形態３）
図１５〜図２０は、本発明の実施形態３に係るものである。この実施形態３では、天井１００への取付構造が実施形態１とは異なるだけであり、装置本体２は実施形態１と同じである。以下、実施形態１と同じ部分には同じ符号を付して説明を省略し、異なる部分について詳細に説明する。
【００６１】
すなわち、装置本体２の上壁部１１の左右方向両側には、実施形態１のネジ１０３の代わりに、装置側取付金具（装置側取付部材）１０７がそれぞれ締結固定されている。装置側取付金具１０７は、装置本体２の短手方向に延びており、装置本体２の上壁部１１に締結固定される固定板部１０７ａと、固定板部１０７ａから上方へ延びる縦板部１０７ｂと、縦板部１０７ｂから装置本体１の外方へ向けて突出する上板部（装置側係合部）１０７ｃとを有している。図１７に示すように、上板部１０７ｃには、奥側突出部１０７ｄと、手前側突出部１０７ｅとが下方へ突出するように形成されている。奥側突出部１０７ｄは、その下端部が固定板部１０７ａに達するまで突出している。一方、手前側突出部１０７ｅの突出量は奥側突出部１０７ｄの突出量よりも小さく設定されており、手前側突出部１０７ｅの下端部と固定板部１０７ａとの間に隙間が形成されている。
【００６２】
天井側取付金具１０８の上部には、固定ビス１０１によって天井１００に固定される固定板部（固定部）１０８ａが設けられている。天井側取付金具１０８の固定板部１０８ａには下方へ延びる縦板部１０８ｂが連なっている。さらに、縦板部１０８ｂの下端部には、下板部（天井側係合部）１０８ｃが水平方向に延びるように形成されている。下板部１０８ｃは、装置側取付金具１０７の手前側突出部１０７ｅの下端部と固定板部１０７ａとの間から、固定板部１０７ａと上板部１０７ｃとの間に挿入することができるようになっている。
【００６３】
次に、上記のように構成されたファン式薬剤放散装置１を天井１００に取り付ける要領について説明する。装置本体２の上壁部１１にはそれぞれ装置側取付金具１０７、１０７を締結固定しておく。一方、天井１００には、図１６に示すように天井側取付金具１０８を固定ビス１０１によって固定しておく。このとき、各天井側取付金具１０８の固定板部１０８ａに固定ビス１０１を貫通させて天井１００に螺合させる。
【００６４】
その後、装置本体２を天井側取付金具１０８の近傍に配置した後、図１８に示すように、天井側取付金具１０８の下板部１０８ｃを、装置側取付金具１０７の手前側突出部１０７ｅの下端部と固定板部１０７ａとの間から、固定板部１０７ａと上板部１０７ｃとの間に挿入する。図１９に示すように、固定板部１０７ａが、奥側突出部１０７ｄと、手前側突出部１０７ｅとの間に位置するまで装置本体２を移動させると、図２０に示すように、装置本体２を下方へ移動させて上板部１０７ｃが下板部１０８ｃに対して上方から重なった状態で係合する。上板部１０７ｃが下板部１０８ｃに係合した状態では、奥側突出部１０７ｄと、手前側突出部１０７ｅとの間に固定板部１０７ａが位置しているので、天井側取付金具１０８と装置側取付金具１０７との水平方向への相対移動が阻止される。一方、上板部１０７ｃと天井１００との間には隙間があるので、装置本体２を上方へ押すことで、装置側取付金具１０７を天井側取付金具１０８に対して上方へ移動させることができ、上下方向への相対移動は許容される。つまり、奥側突出部１０７ｄと、手前側突出部１０７ｅは、本発明の水平方向移動阻止部である。
【００６５】
実施形態３によれば、実施形態１と同様に、ファン式薬剤放散装置１に吸入される空気やファン式薬剤放散装置１から排出される空気の流れが天井１００によって阻害されにくくなる。また、ファン式薬剤放散装置１が地震時等に天井１００から不意に落下しないように確実に取り付けることができ、しかも、取り付け及び取り外し時の作業性を良好にすることができる。
【００６６】
尚、上記実施形態１〜３では、ファン式薬剤放散装置１を天井１００に取り付ける場合について説明したが、これに限らず、ファン式薬剤放散装置１は図示しない壁に取り付けることもできる。また、ファン式薬剤放散装置１は図示しない載置台に置いて使用することもできる。
【００６７】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６８】
以上説明したように、本発明に係るファン式薬剤放散装置は、例えば害虫忌避剤や殺虫剤等を空気中に放散する場合に使用することができる。
【符号の説明】
【００６９】
１                ファン式薬剤放散装置
２                装置本体
５                下側薬剤保持体
６                上側薬剤保持体
８                モーター
９                送風ファン
１４              排出口
１７              案内部
２４              吸入口
１００            天井
１０２            天井側取付金具（天井側取付部材）
１０２ａ          固定板部（固定部）
１０３            ネジ（装置側取付部材）
【図１】
0006637358.tif 000002
【図２】
0006637358.tif 000003
【図３】
0006637358.tif 000004
【図４】
0006637358.tif 000005
【図５】
0006637358.tif 000006
【図６】
0006637358.tif 000007
【図７】
0006637358.tif 000008
【図８】
0006637358.tif 000009
【図９】
0006637358.tif 000010
【図１０】
0006637358.tif 000011
【図１１】
0006637358.tif 000012
【図１２】
0006637358.tif 000013
【図１３】
0006637358.tif 000014
【図１４】
0006637358.tif 000015
【図１５】
0006637358.tif 000016
【図１６】
0006637358.tif 000017
【図１７】
0006637358.tif 000018
【図１８】
0006637358.tif 000019
【図１９】
0006637358.tif 000020
【図２０】
0006637358.tif 000021